【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
ユーザ操作情報を入力する入力部と、
動画データを記録する記録媒体と、
前記入力部からの入力に基づいて、前記記録媒体に記録されたデータを取得して表示部に出力する表示データを生成するデータ処理部を有し、
前記データ処理部は、
前記記録媒体に記録された１つの動画像記録単位であるシーンから、人物の顔を含むフレームを選択し選択フレームから切り出した顔領域のサムネイル画像を生成し、生成した顔サムネイル画像を時系列に並べた時系列顔サムネイル画像一覧を表示部に表示する処理を実行する構成であることを特徴とする画像処理装置。
【請求項２】
前記記録媒体には、当該記録媒体に記録された画像情報を管理する画像情報管理ファイルが記録され、
前記データ処理部は、
前記記録媒体に記録された前記画像情報管理ファイルから、１つの動画像記録単位であるシーンを構成するフレーム各々の顔領域の有無、および顔領域位置情報を取得して、人物の顔を含むフレームを選択し選択フレームから切り出した顔領域のサムネイル画像を生成する処理を実行する構成であることを特徴とする請求項１に記載の画像処理装置。
【請求項３】
前記データ処理部は、
前記記録媒体に記録された１つの動画像記録単位であるシーンの解析を実行して、シーン構成フレーム各々の顔領域の有無、および顔領域位置情報を取得して、人物の顔を含むフレームを選択し選択フレームから切り出した顔領域のサムネイル画像を生成する処理を実行する構成であることを特徴とする請求項１に記載の画像処理装置。
【請求項４】
前記データ処理部は、
前記時系列顔サムネイル画像一覧に表示する顔サムネイル画像の生成対象データとして、フレーム内圧縮符号化画像を選択して顔サムネイル画像を生成する処理を実行する構成であることを特徴とする請求項１に記載の画像処理装置。
【請求項５】
前記入力部の一部は、前記表示部に構成されるタッチパネルであり、
前記データ処理部は、
前記表示部に表示される前記時系列顔サムネイル画像一覧に対するユーザからの顔サムネイル画像指定情報を入力し、指定された顔サムネイル画像に対応する画像位置からの再生処理を実行する構成であることを特徴とする請求項１に記載の画像処理装置。
【請求項６】
前記データ処理部は、
前記時系列顔サムネイル画像一覧に併せて、該時系列顔サムネイル画像一覧の生成対象としたシーンの代表画像であるシーンインデックスを前記表示部に表示する処理を実行し、シーンインデックスの更新に併せて、前記時系列顔サムネイル画像一覧を更新されたシーンインデックスに対応する顔サムネイル画像一覧に更新する処理を実行する構成であることを特徴とする請求項１に記載の画像処理装置。
【請求項７】
撮像部と、
ユーザ操作情報を入力する入力部と、
動画データを記録する記録媒体と、
前記入力部からの入力に基づいて、前記記録媒体に記録されたデータを取得して表示部に出力する表示データを生成するデータ処理部と、
前記表示データを表示する表示部とを有し、
前記データ処理部は、
前記記録媒体に記録された１つの動画像記録単位であるシーンから、人物の顔を含むフレームを選択し選択フレームから切り出した顔領域のサムネイル画像を生成し、生成した顔サムネイル画像を時系列に並べた時系列顔サムネイル画像一覧を前記表示部に表示する処理を実行する構成であることを特徴とする撮像装置。
【請求項８】
前記撮像装置は、
前記撮像部から取得される撮影データに人物の顔領域が含まれるか否かを検出する顔検出部を有し、
前記データ処理部は、
前記顔検出部において顔が検出された場合、前記表示部に表示する撮像画像に併せて顔が検出されたことを知らせる顔検出アイコンの表示を実行する構成であることを特徴とする請求項７に記載の撮像装置。
【請求項９】
画像処理装置において実行する画像表示制御方法であり、
入力部においてユーザ操作情報を入力する操作情報入力ステップと、
データ処理部が、前記入力部からの入力に基づいて、動画データを記録した記録媒体からデータを取得して表示部に出力する表示データを生成するデータ処理ステップと、
表示部が、前記表示データを表示する表示ステップを有し、
前記データ処理ステップは、
前記記録媒体に記録された１つの動画像記録単位であるシーンから、人物の顔を含むフレームを選択し選択フレームから切り出した顔領域のサムネイル画像を生成し、生成した顔サムネイル画像を時系列に並べた時系列顔サムネイル画像一覧を前記表示部に表示する処理を実行するステップであることを特徴とする画像表示制御方法。
【請求項１０】
前記データ処理ステップは、
前記記録媒体に記録された画像情報管理ファイルから、１つの動画像記録単位であるシーンを構成するフレーム各々の顔領域の有無、および顔領域位置情報を取得して、人物の顔を含むフレームを選択し選択フレームから切り出した顔領域のサムネイル画像を生成する処理を実行するステップであることを特徴とする請求項９に記載の画像表示制御方法。
【請求項１１】
前記データ処理ステップは、
前記記録媒体に記録された１つの動画像記録単位であるシーンの解析を実行して、シーン構成フレーム各々の顔領域の有無、および顔領域位置情報を取得して、人物の顔を含むフレームを選択し選択フレームから切り出した顔領域のサムネイル画像を生成する処理を実行するステップであることを特徴とする請求項９に記載の画像表示制御方法。
【請求項１２】
前記データ処理ステップは、
前記時系列顔サムネイル画像一覧に表示する顔サムネイル画像の生成対象データとして、フレーム内圧縮符号化画像を選択して顔サムネイル画像を生成する処理を実行するステップであることを特徴とする請求項９に記載の画像表示制御方法。
【請求項１３】
前記入力部の一部は、前記表示部に構成されるタッチパネルであり、
前記画像表示制御方法において、さらに、
前記データ処理部は、前記表示部に表示される前記時系列顔サムネイル画像一覧に対するユーザからの顔サムネイル画像指定情報を入力し、指定された顔サムネイル画像に対応する画像位置からの再生処理を実行することを特徴とする請求項９に記載の画像表示制御方法。
【請求項１４】
前記データ処理ステップは、
前記時系列顔サムネイル画像一覧に併せて、該時系列顔サムネイル画像一覧の生成対象としたシーンの代表画像であるシーンインデックスを前記表示部に表示する処理を実行し、シーンインデックスの更新に併せて、前記時系列顔サムネイル画像一覧を更新されたシーンインデックスに対応する顔サムネイル画像一覧に更新する処理を実行するステップであることを特徴とする請求項９に記載の画像表示制御方法。
【請求項１５】
撮像装置において実行する画像表示制御方法であり、
撮像部が撮像処理を実行する撮像ステップと、
入力部が、ユーザ操作情報を入力する操作情報入力ステップと、
顔検出部が、前記撮像部から取得される撮影データに人物の顔領域が含まれるか否かを検出する顔検出ステップと、
データ処理部が、前記顔検出部において顔が検出された場合、前記表示部に表示する撮像画像に併せて顔が検出されたことを知らせる顔検出アイコンの表示を実行するアイコン表示ステップと、
前記データ処理部が、前記記録媒体に記録された１つの動画像記録単位であるシーンから、人物の顔を含むフレームを選択し選択フレームから切り出した顔領域のサムネイル画像（縮小画像）を生成し、生成した顔サムネイル画像を時系列に並べた時系列顔サムネイル画像一覧を前記表示部に表示する処理を実行するステップと、
を有することを特徴とする画像表示制御方法。
【請求項１６】
画像処理装置において画像表示制御処理を実行させるコンピュータ・プログラムであり、
入力部においてユーザ操作情報の入力検出を実行させる操作情報入力ステップと、
データ処理部に、前記入力部からの入力に基づいて、動画データを記録した記録媒体からデータを取得して表示部に出力する表示データを生成させるデータ処理ステップと、
表示部に、前記表示データを表示させる表示ステップを有し、
前記データ処理ステップは、
前記記録媒体に記録された１つの動画像記録単位であるシーンから、人物の顔を含むフレームを選択し選択フレームから切り出した顔領域のサムネイル画像を生成し、生成した顔サムネイル画像を時系列に並べた時系列顔サムネイル画像一覧を前記表示部に表示する処理を実行させるステップであることを特徴とするコンピュータ・プログラム。
【請求項１７】
撮像装置において画像表示制御処理を実行させるコンピュータ・プログラムであり、
撮像部に撮像処理を実行させる撮像ステップと、
入力部においてユーザ操作情報の入力検出を実行させる操作情報入力ステップと、
顔検出部に、前記撮像部から取得される撮影データに人物の顔領域が含まれるか否かを検出させる顔検出ステップと、
データ処理部に、前記顔検出部において顔が検出された場合、前記表示部に表示する撮像画像に併せて顔が検出されたことを知らせる顔検出アイコンの表示を実行させるアイコン表示ステップと、
前記データ処理部に、前記記録媒体に記録された１つの動画像記録単位であるシーンから、人物の顔を含むフレームを選択し選択フレームから切り出した顔領域のサムネイル画像を生成し、生成した顔サムネイル画像を時系列に並べた時系列顔サムネイル画像一覧を前記表示部に表示する処理を実行するステップと、
を実行させることを特徴とするコンピュータ・プログラム。
【手続補正２】
【補正対象書類名】明細書
【補正対象項目名】００１１
【補正方法】変更
【補正の内容】
【００１１】
本発明の第１の側面は、
ユーザ操作情報を入力する入力部と、
動画データを記録する記録媒体と、
前記入力部からの入力に基づいて、前記記録媒体に記録されたデータを取得して表示部に出力する表示データを生成するデータ処理部を有し、
前記データ処理部は、
前記記録媒体に記録された１つの動画像記録単位であるシーンから、人物の顔を含むフレームを選択し選択フレームから切り出した顔領域のサムネイル画像（縮小画像）を生成し、生成した顔サムネイル画像を時系列に並べた時系列顔サムネイル画像一覧を表示部に表示する処理を実行する構成であることを特徴とする画像処理装置にある。